(57)【要約】【課題】ボディアース型の電磁継電器において、サージ吸収素子を有効に機能させることを目的とする。【解決手段】電磁継電器は、一端側の引出し線２７に接続されるとともに、電源に通じる第１の端子４と、プレート２４に導通する第２の端子５と、第１、第２の端子４、５に支持されるとともに接続されるサージ吸収素子とを備え、他端側の引出し線２９は、プレート２４に接続する。これにより、ソレノイドコイルは、第１の端子４により電源に通じるとともに、プレート２４およびヨークによりアースに通じ、サージ吸収素子は、第１の端子４により電源に通じるとともに、第２の端子５、プレート２４およびヨークによりアースに通じる。このため、ボディアース型の電磁継電器において、サージ吸収素子をソレノイドコイルに対し並列に接続することができるので、サージ吸収素子を有効に機能させることができる。【選択図】図２
2008098049.tif 000002
【特許請求の範囲】
【請求項１】
所定の電気回路を開閉するためのソレノイドコイルを備え、外郭の一部を経由して励磁電流をアースに逃す電磁継電器において、
前記外郭の内部で前記ソレノイドコイルの一端側の引出し線に接続されるとともに、前記外郭の外部に突出し前記外郭の外部で電源に通じる第１の端子と、
前記外郭の一部を経由する励磁電流の接地系統に前記外郭の内部で導通し、前記外郭の外部に突出する第２の端子と、
前記外郭の外部で前記第１の端子および前記第２の端子に支持されるとともに接続されるサージ吸収素子とを備え、
前記ソレノイドコイルの他端側の引出し線は、前記励磁電流の接地系統に前記外郭の内部で導通していることを特徴とする電磁継電器。
【請求項２】
請求項１に記載の電磁継電器において、
前記他端側の引出し線は、前記外郭の内部で前記第２の端子に接続し、さらに、前記第２の端子に接続する部位よりも一端側の部位で、前記励磁電流の接地系統をなす導電部材に接続していることを特徴とする電磁継電器。
【請求項３】
請求項２に記載の電磁継電器において、
前記他端側の引出し線は、少なくとも前記励磁電流の接地系統をなす導電部材に接続する部位から他端側の先端までの部分が全て被覆剥離されていることを特徴とする電磁継電器。
【請求項４】
請求項１に記載の電磁継電器において、
前記励磁電流の接地系統は、前記ソレノイドコイルの一方側および外周側を覆うヨーク、ならびに前記ソレノイドコイルの他方側に配されて磁気回路を形成するとともに前記ヨークに導通するプレートを含んで構成され、
前記他端側の引出し線は、このプレートに接続していることを特徴とする電磁継電器。
【発明の詳細な説明】
【技術分野】
【０００１】
本発明は、電気回路を開閉する電磁継電器に関する。
【背景技術】
【０００２】
従来より、電磁継電器１００は、図３および図４に示すように、所定の電気回路（図示せず）を開閉するためのソレノイドコイル１０１を内蔵して液密的に構成される本体１０２と、本体１０２の内部でソレノイドコイル１０１の両端の引出し線１０３、１０４に接続され、本体１０２の外部に突出する２つの励磁端子１０５、１０６と、本体１０２の外部に配され、電気回路に接続される２つの回路端子１０７とを備える。
【０００３】
また、本体１０２は、ソレノイドコイル１０１の内周の一方側に固定して配される固定鉄心１１１と、ソレノイドコイル１０１の内周に固定鉄心１１１よりも他方側に配され、ソレノイドコイル１０１への通電により一方側に磁気吸引される可動鉄心１１２と、可動鉄心１１２を他方側に付勢するリターンスプリング１１３と、回路端子１０７を介して電気回路に接続され、可動鉄心１１２の他方側に固定して配される固定接点１１４と、固定接点１１４の他方側に配され、固定接点１１４に離接することで電気回路を開閉する可動接点１１５と、可動接点１１５を一方側に付勢する接点圧スプリング１１６と、可動鉄心１１２と可動接点１１５との間に配され、可動鉄心１１２に作用するリターンスプリング１１３の付勢力を可動接点１１５に伝達して可動接点１１５を他方側に付勢するロッド１１７とを有する。
【０００４】
また、本体１０２の外郭１２１は、底側を一方側に配された有底円筒状のヨーク１２２の内周に、底側を他方側に配された樹脂カバー１２３を装着し、ヨーク１２２の他端を樹脂カバー１２３にかしめて固定することで構成されている。そして、ソレノイドコイル１０１は、樹脂製のボビンに巻線されてヨーク１２２の底部に組み込まれ、固定鉄心１１１と可動鉄心１１２は、ボビンの内周にリターンスプリング１１３を介して所定の隙間を形成するように配される。また、ソレノイドコイル１０１の他方側には、導電性のプレート１２４が配されてヨーク１２２に導通し、ヨーク１２２、固定鉄心１１１および可動鉄心１１２とともに、磁気回路を形成する。
【０００５】
そして、ソレノイドコイル１０１に通電が行われると、可動鉄心１１２が一方側に変位するとともに、可動接点１１５が接点圧スプリング１１６に付勢されて一方側に変位し、固定接点１１４に当接して電気回路を閉成する。また、ソレノイドコイル１０１への通電が停止されると、可動鉄心１１２がリターンスプリング１１３に付勢されて他方側に変位するとともに、可動接点１１５がロッド１１７に付勢されて他方側に変位し、固定接点１１４から離脱して電気回路を開成する（例えば、特許文献１参照）。
【０００６】
ところで、電磁継電器１００では、励磁電流の接地系統として、外郭１２１を経由して励磁電流をアースに逃すボディアース型、および外郭１２１を経由しないで励磁電流をアースに逃す非ボディアース型の２形態が考えられている。
【０００７】
ここで、図３に示す電磁継電器１００は、非ボディアース型である。そして、非ボディアース型によれば、図４に示すように、本体１０２の内部で一端側の引出し線１０３が一方の励磁端子１０５に接続し、さらに本体１０２の外部で電源に通じるワイヤ１２７が励磁端子１０５に接続する。また、本体１０２の内部で他端側の引出し線１０４が他方の励磁端子１０６に接続し、さらに本体１０２の外部でアースに通じるワイヤ１２８が励磁端子１０６に接続する。つまり、非ボディアース型によれば、励磁電流の接地系統が、主に、本体１０２の外部に配される本体１０２以外の部材（すなわち、励磁端子１０６やワイヤ１２８等）により構成される。
【０００８】
一方、ボディアース型によれば、励磁電流の接地系統が、本体１０２をなすヨーク１２２やプレート１２４により構成される。すなわち、図５に示すように、本体１０２の内部で他端側の引出し線１０４がプレート１２４に接続し、プレート１２４およびヨーク１２２を介して励磁電流がアースに逃される。このため、ボディアース型を採用する電磁継電器１００では、アースに通じるワイヤ１２８および他方の励磁端子１０６が不要となり、特に高価な２本のワイヤ１２７、１２８を１本のワイヤ１２７に減らすことで大きくコストを低減することができる。
【０００９】
近年、電磁継電器１００では、ソレノイドコイル１０１への通電を停止する際に発生するサージを吸収するため、図６に示すように、ダイオードのようなサージ吸収素子１３０をソレノイドコイル１０１に対し並列に接続することが考えられている。ここで、サージ吸収素子１３０は本体１０２の外部に配されるため、非ボディアース型の電磁継電器１００では、励磁端子１０５、１０６にサージ吸収素子１３０を接続するとともに支持させることで、サージ吸収素子１３０をソレノイドコイル１０１に並列に接続することができる。
【００１０】
しかし、コストが安いボディアース型の電磁継電器１００では、励磁端子１０６そのものがなくサージ吸収素子１３０を支持することができない。さらに、他端側の引出し線１０４が外郭１２１の内部でプレート１２４に接続しているため、サージ吸収素子１３０をソレノイドコイル１０１に対し並列に接続することができず、サージ吸収素子１３０を有効に機能させることができない。
【特許文献１】特開２００６−１８５８１６号公報
【発明の開示】
【発明が解決しようとする課題】
【００１１】
本発明は、上記の問題点を解決するためになされたものであり、励磁電流の接地系統が本体の外郭により構成されるボディアース型の電磁継電器において、サージ吸収素子を有効に機能させることを目的とする。
【課題を解決するための手段】
【００１２】
〔請求項１の手段〕
請求項１に記載の電磁継電器は、所定の電気回路を開閉するためのソレノイドコイルを備え、外郭の一部を経由して励磁電流をアースに逃すものである。また、この電磁継電器は、外郭の内部でソレノイドコイルの一端側の引出し線に接続されるとともに、外郭の外部に突出し外郭の外部で電源に通じる第１の端子と、外郭の一部を経由する励磁電流の接地系統に外郭の内部で導通し、外郭の外部に突出する第２の端子と、外郭の外部で第１の端子および第２の端子に支持されるとともに接続されるサージ吸収素子とを備える。そして、ソレノイドコイルの他端側の引出し線は、励磁電流の接地系統に外郭の内部で導通している。
【００１３】
これにより、ソレノイドコイルは、第１の端子により電源に通じるとともに、励磁電流の接地系統によりアースに通じ、サージ吸収素子は、第１の端子により電源に通じるとともに、第２の端子および励磁電流の接地系統によりアースに通じる。このため、コストの低いボディアース型の電磁継電器において、サージ吸収素子をソレノイドコイルに対し並列に接続することができるので、サージ吸収素子を有効に機能させることができる。
【００１４】
〔請求項２の手段〕
請求項２に記載の電磁継電器によれば、他端側の引出し線は、外郭の内部で第２の端子に接続し、さらに、第２の端子に接続する部位（以下、第１接続部位と呼ぶ）よりも一端側の部位で、励磁電流の接地系統をなす導電部材に接続している。
これにより、別部材を追加することなく他端側の引出し線のみを利用して、ソレノイドコイルおよびサージ吸収素子の両方をアースに通じさせることができる。このため、ボディアース型の電磁継電器において、低コストかつ簡便にサージ吸収素子を有効に機能させることができる。
【００１５】
〔請求項３の手段〕
請求項３に記載の電磁継電器によれば、他端側の引出し線は、少なくとも励磁電流の接地系統をなす導電部材に接続する部位（以下、第２接続部位と呼ぶ）から他端側の先端までの部分が全て被覆剥離されている。
他端側の引出し線を第２の端子および励磁電流の接地系統をなす導電部材の２つに接続する場合、接続態様は、被覆を剥離した状態で接続する熱溶着、または被覆を剥離しない状態で接続するフュージングのいずれか一方に統一するのが好ましい。
【００１６】
ここで、第２の端子および励磁電流の接地系統をなす導電部材への接続を両方とも熱溶着で行う場合、第１、第２接続部位を、両方とも被覆剥離する必要がある。そこで、上記のように、少なくとも第２接続部位から他端側の先端までの部分を全て被覆剥離すれば、第１接続部位と第２接続部位とを個々に被覆剥離する必要がなくなり、被覆剥離する工程が簡略になる。
【００１７】
〔請求項４の手段〕
請求項４に記載の電磁継電器によれば、励磁電流の接地系統は、ソレノイドコイルの一方側および外周側を覆うヨーク、ならびにソレノイドコイルの他方側に配されて磁気回路を形成するとともにヨークに導通するプレートを含んで構成され、他端側の引出し線は、プレートに接続している。
これにより、ソレノイドコイルをアースに通じさせる構造を、従来のボディアース型の電磁継電器と同一にすることができる。
【発明を実施するための最良の形態】
【００１８】
最良の形態１の電磁継電器は、所定の電気回路を開閉するためのソレノイドコイルを備え、外郭の一部を経由して励磁電流をアースに逃すものである。また、この電磁継電器は、外郭の内部でソレノイドコイルの一端側の引出し線に接続されるとともに、外郭の外部に突出し外郭の外部で電源に通じる第１の端子と、外郭の一部を経由する励磁電流の接地系統に外郭の内部で導通し、外郭の外部に突出する第２の端子と、外郭の外部で第１の端子および第２の端子に支持されるとともに接続されるサージ吸収素子とを備える。そして、ソレノイドコイルの他端側の引出し線は、励磁電流の接地系統に外郭の内部で導通している。
【００１９】
この電磁継電器によれば、他端側の引出し線は、外郭の内部で第２の端子に接続し、さらに、第２の端子に接続する部位（第１接続部位）よりも一端側の部位で、励磁電流の接地系統をなす導電部材に接続している。また、他端側の引出し線は、少なくとも励磁電流の接地系統をなす導電部材に接続する部位（第２接続部位）から他端側の先端までの部分が全て被覆剥離されている。さらに、励磁電流の接地系統は、ソレノイドコイルの一方側および外周側を覆うヨーク、ならびにソレノイドコイルの他方側に配されて磁気回路を形成するとともにヨークに導通するプレートを含んで構成され、他端側の引出し線は、プレートに接続している。
【実施例１】
【００２０】
〔実施例１の構成〕
実施例１の電磁継電器１の構成を、図１および図２を用いて説明する。
電磁継電器１は、例えば、周知の直流モータ（図示せず）とともに車両に搭載されるスタータ（図示せず）を構成し、電源およびモータ回路等を含んで構成される電気回路（図示せず）を開閉するためのソレノイドコイル２を有する。そして、この電磁継電器１は、図１に示すように、ソレノイドコイル２を内蔵して液密的に構成される本体３と、本体３の内部から外部に突出する第１、第２の端子４、５と、第１、第２の端子４、５に支持されるサージ吸収素子６と、第１、第２の端子４、５とは別に本体３の外部に配され電気回路に接続される２つの回路端子７とを備える。
【００２１】
本体３は、ソレノイドコイル２と、ソレノイドコイル２の内周の一方側に固定して配される固定鉄心１１と、ソレノイドコイル２の内周に固定鉄心１１よりも他方側に配され、ソレノイドコイル２への通電により一方側に磁気吸引される可動鉄心１２と、可動鉄心１２を他方側に付勢するリターンスプリング１３と、回路端子７を介して電気回路に接続され、可動鉄心１２の他方側に固定して配される固定接点１４と、固定接点１４の他方側に配され、固定接点１４に離接することで電気回路を開閉する可動接点１５と、可動接点１５を一方側に付勢する接点圧スプリング１６と、可動鉄心１２と可動接点１５との間に配され、可動鉄心１２に作用するリターンスプリング１３の付勢力を可動接点１５に伝達して可動接点１５を他方側に付勢するロッド１７とを有する。
【００２２】
また、本体３の外郭２１は、底側を一方側に配された有底円筒状のヨーク２２の内周に、底側を他方側に配された樹脂カバー２３を装着し、ヨーク２２の他端を樹脂カバー２３にかしめて固定することで構成されている。そして、ソレノイドコイル２は、樹脂製のボビンに巻線されてヨーク２２の底部に組み込まれ、固定鉄心１１と可動鉄心１２は、ボビンの内周にリターンスプリング１３を介して所定の隙間を形成するように配される。また、ソレノイドコイル２の他方側には、導電性のプレート２４が配されてヨーク２２に導通し、ヨーク２２、固定鉄心１１および可動鉄心１２とともに、磁気回路を形成する。
【００２３】
そして、ソレノイドコイル２に通電が行われると、可動鉄心１２が一方側に変位するとともに、可動接点１５が接点圧スプリング１６に付勢されて一方側に変位し、固定接点１４に当接して電気回路を閉成する。また、ソレノイドコイル２への通電が停止されると、可動鉄心１２がリターンスプリング１３に付勢されて他方側に変位するとともに、可動接点１５がロッド１７に付勢されて他方側に変位し、固定接点１４から離脱して電気回路を開成する。
【００２４】
第１の端子４は、外郭２１の内部でソレノイドコイル２の一端側の引出し線２７に接続されるとともに、外郭２１の外部に突出し外郭２１の外部で電源に通じるワイヤ２８に接続される。
【００２５】
第２の端子５は、外郭２１の内部でソレノイドコイル２の他端側の引出し線２９に接続される。そして、引出し線２９は、第２の端子５に接続する部位（第１接続部位３０）よりも一端側の部位でプレート２４に接続している。なお、引出し線２９は、プレート２４に接続する部位（第２接続部位３１）から他端側の先端に至る部分が全て被覆剥離され、第１、第２接続部位３０、３１で、第２の端子５およびプレート２４に熱溶着されている。
【００２６】
ここで、ヨーク２２はアースに通じるように配されるため、プレート２４に引出し線２９が接続することにより、励磁電流の接地系統は、プレート２４およびヨーク２２を経由するように構成される。すなわち、電磁継電器１は、外郭２１を経由して励磁電流をアースに逃すボディアース型の接地系統を構成する。
【００２７】
サージ吸収素子６は、外郭２１の外部で第１、第２の端子４、５に支持されるとともに接続される。このサージ吸収素子６は、例えばダイオードやレジスタであり、リード線３４、３５を有する電気素子として設けられる。そして、リード線３４、３５と第１、第２の端子４、５とを外郭２１の外部で接合することにより、サージ吸収素子６を第１、第２の端子４、５に支持させるとともに接続する。なお、リード線３４、３５と第１、第２の端子４、５との接合は、はんだ付けやかしめ等の方法により行われる。
【００２８】
〔実施例１の効果〕
実施例１の電磁継電器１は、プレート２４およびヨーク２２を経由して励磁電流をアースに逃すボディアース型の接地系統を構成し、外郭２１の内部で一端側の引出し線２７に接続されるとともに、外郭２１の外部に突出し外郭２１の外部で電源に通じる第１の端子４と、プレート２４に外郭２１の内部で導通し、外郭２１の外部に突出する第２の端子５と、外郭２１の外部で第１、第２の端子４、５に支持されるとともに接続されるサージ吸収素子６とを備える。そして、他端側の引出し線２９は、外郭２１の内部でプレート２４に接続する。
【００２９】
これにより、ソレノイドコイル２は、第１の端子４により電源に通じるとともに、プレート２４およびヨーク２２によりアースに通じ、サージ吸収素子６は、第１の端子４により電源に通じるとともに、第２の端子５、プレート２４およびヨーク２２によりアースに通じる。このため、コストの低いボディアース型の電磁継電器１において、サージ吸収素子６をソレノイドコイル２に対し並列に接続することができるので、サージ吸収素子６を有効に機能させることができる。
【００３０】
また、他端側の引出し線２９は、外郭２１の内部で第２の端子５に接続し、さらに、第２の端子５に接続する第１接続部位３０よりも一端側の第２接続部位３１で、プレート２４に接続している。
これにより、別の導電部材を追加することなく他端側の引出し線２９のみを利用して、ソレノイドコイル２およびサージ吸収素子６の両方をアースに通じさせることができる。このため、ボディアース型の電磁継電器１において、低コストかつ簡便にサージ吸収素子６を有効に機能させることができる。また、ソレノイドコイル２をアースに通じさせる構造を、従来のボディアース型の電磁継電器と同様にプレートを介する構造にすることができる。
【００３１】
さらに、他端側の引出し線２９は、プレート２４に接続される第２接続部位３１から他端側の先端までの部分が全て被覆剥離されている。
これにより、第１接続部位３０と第２接続部位３１とを個々に被覆剥離する必要がなく、被覆剥離する工程が簡略になる。
【００３２】
〔変形例〕
実施例１の電磁継電器１によれば、引出し線２９がプレート２４に接続することでソレノイドコイル２がアースに通じているが、引出し線２９をヨーク２２に接続することでソレノイドコイル２をアースに通じさせてもよい。また、引出し線２９が第２の端子５およびプレート２４の両方に接続することで引出し線２９とプレート２４が導通し、第２の端子５とプレート２４とが導通しているが、別の導電部材を介して引出し線２９とプレート２４とを導通させてもよく、別の導電部材を介して第２の端子５とプレート２４とを導通させてもよい。
【００３３】
また、外郭２１の外部で、第１、第２の端子４、５とサージ吸収素子６との接続部や、ワイヤ２８と第１の端子４との接続部等を含む領域を樹脂でモールドしてもよい。これにより、電磁継電器１は、融雪塩等が存在する悪環境での使用にも耐えることができる。
【図面の簡単な説明】
【００３４】
【図１】電磁継電器の断面図である（実施例１）。
【図２】ソレノイドコイルの引出し線と、第１、第２の端子およびプレートとの接続を示す正面図である（実施例１）。
【図３】電磁継電器の断面図である（従来例）。
【図４】ソレノイドコイルの引出し線と、励磁端子との接続を示す正面図である（従来例）。
【図５】ソレノイドコイルの引出し線と、励磁端子およびプレートとの接続を示す正面図である（従来例）。
【図６】ソレノイドコイルおよびサージ吸収素子を示す電気回路図である（従来例）。
【符号の説明】
【００３５】
１  電磁継電器
２  ソレノイドコイル
４  第１の端子
５  第２の端子
６  サージ吸収素子
２１  外郭
２２  ヨーク（外郭の一部、励磁電流の接地系統をなす導電部材）
２４  プレート（励磁電流の接地系統をなす導電部材）
２７  引出し線（一端側の引出し線）
２９  引出し線（他端側の引出し線）
３０  第１接続部位（第２の端子に接続する部位）
３１  第２接続部位（励磁電流の接地系統をなす導電部材に接続する部位）
【図１】
2008098049.tif 000003
【図２】
2008098049.tif 000004
【図３】
2008098049.tif 000005
【図４】
2008098049.tif 000006
【図５】
2008098049.tif 000007
【図６】
2008098049.tif 000008